(57)【特許請求の範囲】
【請求項１】
画像情報に基づき、出力媒体に画像を形成する画像形成手段と、前記画像形成手段により画像が形成された出力媒体に対して所定の後処理を行う後処理手段と、を有する画像形成システムであって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードを設定するための設定手段と、
前記設定手段により前記冊子分割モードが設定されている場合には、前記所定の後処理を行わない出力媒体に形成する画像の向きと前記所定の後処理を行う出力媒体に形成する画像の向きとが一致するように、画像情報を回転させるための回転基準を決定し、前記回転基準に基づき、前記画像情報に回転処理を施す画像処理手段と、を有することを特徴とする画像形成システム。
【請求項２】
前記画像処理手段は、前記所定の後処理を行う出力媒体に形成する画像の向きを前記回転基準に決定し、前記回転基準に基づき、前記所定の後処理を行わない出力媒体に形成するための画像情報に回転処理を施すことを特徴とする請求項１に記載の画像形成システム。
【請求項３】
画像情報に基づき、出力媒体に画像を形成する画像形成手段と、前記画像形成手段により画像が形成された出力媒体に対して所定の後処理を行う後処理手段と、を有する画像形成システムであって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードを設定するための設定手段と、
前記設定手段により前記冊子分割モードが設定されている場合には、前記所定の後処理を行わない出力媒体に形成する画像の向きと前記所定の後処理を行う出力媒体に形成する画像の向きとが一致するように、前記所定の後処理を行わない出力媒体に形成する画像のための画像情報の回転角度を決定し、前記回転角度に基づき、前記画像情報に回転処理を施すための画像処理手段と、を有することを特徴とする画像形成システム。
【請求項４】
実行される作動モードに後処理が指定されているか否かを判断する判断手段を備え、
前記判断手段は、
実行される作動モードに後処理が指定されていると判断した場合は、
後処理情報を取得し、前記冊子分割モードが設定されているか否かを判断することを特徴とする請求項１乃至請求項３の何れか１項に記載の画像形成システム。
【請求項５】
前記判断手段は、前記冊子分割モードが設定されていると判断した場合は、前記所定の後処理を行わない出力媒体に画像を形成するための画像情報に回転処理を施すように、前記画像処理手段を作動させることを特徴とする請求項４に記載の画像形成システム。
【請求項６】
前記回転基準に基づく前記画像情報への回転処理後の画像が前記出力媒体からはみ出すと判断された場合に、回転基準を再決定し、前記再決定された回転基準に基づき、前記画像情報に回転処理を施すことを特徴とする請求項１又は２に記載の画像形成システム。
【請求項７】
前記回転角度に基づく前記画像情報への回転処理後の画像が前記出力媒体からはみ出すと判断された場合に、回転角度を再決定し、前記再決定された回転角度に基づき、前記画像情報に回転処理を施すことを特徴とする請求項３に記載の画像形成システム。
【請求項８】
前記後処理手段は、所定の位置のみで前記所定の後処理を実行可能であることを特徴とする請求項１乃至請求項７の何れか１項に記載の画像形成システム。
【請求項９】
前記所定の後処理は、前記出力媒体に対して加工を施す処理であることを特徴とする請求項１乃至請求項８の何れか１項に記載の画像形成システム。
【請求項１０】
画像情報に基づき、出力媒体に画像を形成し、画像が形成された出力媒体に対して後処理を施す画像形成方法であって、
一連の画像情報に基づき、複数の出力媒体にわたり画像を形成し、前記複数の出力媒体のうち所定の後処理を行う出力媒体と所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、画像情報を回転させるための回転基準を決定し、
前記回転基準に基づき、前記画像情報に回転処理を施すことを特徴とする画像形成方法。
【請求項１１】
所定の後処理を行う出力媒体に形成する画像の向きを前記回転基準に決定し、前記回転基準に基づき、前記所定の後処理を行わない出力媒体に形成するための画像情報に回転処理を施すことを特徴とする請求項１０に記載の画像形成方法。
【請求項１２】
画像情報に基づき、出力媒体に画像を形成し、画像が形成された出力媒体に対して所定の後処理を施す画像形成方法であって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、前記所定の後処理を行わない出力媒体に形成する画像のための画像情報の回転角度を決定し、
前記回転角度に基づき、前記画像情報に回転処理を施すことを特徴とする画像形成方法。
【請求項１３】
実行される作動モードに後処理が指定されているか否かを判断し、
前記後処理が指定されていると判断した場合は、
後処理情報を取得し、前記冊子分割モードが設定されているか否かを判断することを特徴とする請求項１０乃至請求項１２の何れか１項に記載の画像形成方法。
【請求項１４】
前記冊子分割モードが設定されていると判断した場合は、前記所定の後処理を行わない出力媒体に画像を形成するための画像情報に回転処理を施すことを特徴とする請求項１３に記載の画像形成方法。
【請求項１５】
前記回転基準に基づく前記画像情報への回転処理後の画像が前記出力媒体からはみ出すと判断された場合に、回転基準を再決定し、前記再決定された回転基準に基づき、前記画像情報に回転処理を施すことを特徴とする請求項１０又は１１に記載の画像形成方法。
【請求項１６】
前記回転角度に基づく前記画像情報への回転処理後の画像が前記出力媒体からはみ出すと判断された場合に、回転角度を再決定し、前記再決定された回転角度に基づき、前記画像情報に回転処理を施すことを特徴とする請求項１２に記載の画像形成方法。
【請求項１７】
所定の位置のみで前記所定の後処理を実行可能であることを特徴とする請求項１０乃至請求項１６の何れか１項に記載の画像形成方法。
【請求項１８】
前記所定の後処理は、前記出力媒体に対して加工を施す処理であることを特徴とする請求項１０乃至請求項１７の何れか１項に記載の画像形成方法。
【請求項１９】
画像情報に基づき、出力媒体に画像を形成し、画像が形成された出力媒体に対して後処理を施す画像形成プログラムであって、
一連の画像情報に基づき、複数の出力媒体にわたり画像を形成し、前記複数の出力媒体のうち所定の後処理を行う出力媒体と前記所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、画像情報を回転させるための回転基準を決定し、
前記回転基準に基づき、前記画像情報に回転処理を施すことを特徴とする画像形成プログラム。
【請求項２０】
前記所定の後処理を行う出力媒体に形成する画像の向きを前記回転基準に決定し、前記回転基準に基づき、前記所定の後処理を行わない出力媒体に形成するための画像情報に回転処理を施すことを特徴とする請求項１９に記載の画像形成プログラム。
【請求項２１】
画像情報に基づき、出力媒体に画像を形成し、画像が形成された出力媒体に対して所定の後処理を施す画像形成プログラムであって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、前記所定の後処理を行わない出力媒体に形成する画像のための画像情報の回転角度を決定し、
前記回転角度に基づき、前記画像情報に回転処理を施すことを特徴とする画像形成プログラム。
【請求項２２】
実行される作動モードに後処理が指定されているか否かを判断し、
前記後処理が指定されていると判断した場合は、
後処理情報を取得し、前記冊子分割モードが設定されているか否かを判断することを特徴とする請求項１９乃至請求項２１の何れか１項に記載の画像形成プログラム。
【請求項２３】
前記冊子分割モードが設定されていると判断した場合は、前記所定の後処理を行わない出力媒体に画像を形成するための画像情報に回転処理を施すことを特徴とする請求項２２に記載の画像形成プログラム。
【請求項２４】
前記回転基準に基づく前記画像情報への回転処理後の画像が前記出力媒体からはみ出すと判断された場合に、回転基準を再決定し、前記再決定された回転基準に基づき、前記画像情報に回転処理を施すことを特徴とする請求項１９又は２０に記載の画像形成プログラム。
【請求項２５】
前記回転角度に基づく前記画像情報への回転処理後の画像が前記出力媒体からはみ出すと判断された場合に、回転角度を再決定し、前記再決定された回転角度に基づき、前記画像情報に回転処理を施すことを特徴とする請求項２１に記載の画像形成プログラム。
【請求項２６】
所定の位置のみで前記所定の後処理を実行可能であることを特徴とする請求項１９乃至請求項２５の何れか１項に記載の画像形成プログラム。
【請求項２７】
前記所定の後処理は、前記出力媒体に対して加工を施す処理であることを特徴とする請求項１９乃至請求項２６の何れか１項に記載の画像形成プログラム。
【発明の詳細な説明】
【技術分野】
【０００１】
本発明は、後処理された転写紙と後処理を行わない転写紙の取り扱い性を向上させることができる画像形成装置、画像形成装置システム及びその画像形成方法と画像形成プログラムに関する。
【背景技術】
【０００２】
最近では、複写機やプリンタ等の画像形成装置において、一連の画像情報に基づき画像が形成された出力媒体を出力する際に、画像形成装置に接続された後処理装置を使用して、一連の画像情報に基づき画像形成された複数の出力媒体を折ったり、綴じたり（ステイプル）、穴あけ（パンチ）したり、場合によっては接着したりと、詳細は割愛するが様々な後処理を行って排紙トレイに出力することができるようになっている。
【０００３】
また、このような後処理装置においては、画像が形成された出力媒体を、後処理を行った出力媒体と後処理を行わない出力媒体とが混在して出力できるものがある。例えば、設定された頁数毎に、綴じるように指定されステイプルされた状態で出力されるステイプル出力と、ステイプルを行わない状態で出力されるノン・ステイプル出力が混在して出力されることがある。
【０００４】
そこで、ステイプル出力とノン・ステイプル出力の取り扱いを容易にするために、後処理装置により画像形成された出力媒体にステイプルを行う場合、ステイプル位置が所定位置になるように画像の回転を制御する技術について公開されている（例えば、特許文献１参照。）。
【０００５】
また、例えば、原稿が長手方向にセットされていると判定した場合には、そのまま長手方向に画像を形成し、原稿が短手方向にセットされていると判断した場合には、画像を回転させて長手方向に画像を形成して排出し、常に長手方向の出力媒体（転写紙）に画像形成を行うことで出力媒体の排紙向きを揃えて排紙し、取り出し易さを向上する技術について公開されている（例えば、特許文献２参照。）。
【特許文献１】特開平６−２５５２８３号公報
【特許文献２】特開２００１−７５４２１号公報
【発明の開示】
【発明が解決しようとする課題】
【０００６】
しかしながら、特許文献１は、固定された所定の後処理位置で後処理が行われる後処理装置を使用する場合に、ステイプル位置が所望の位置になるようにするために、画像を回転する制御を行っているが、一連の画像情報に基づいて形成される画像の向き（出力媒体の排出時の排出方向に対する画像の向き）については、何ら考慮もされていない。更には、画像が形成された出力媒体に後処理としてステイプルを行うステイプル出力とステイプルを行わないノン・ステイプル出力（通常出力）を、例えば、画像形成装置の同一ＪＯＢ（一連の画像情報に対する画像形成作動をいう。）内に混在させることについては全く考慮されていない。そのため、当然のことながら、ステイプル出力とノン・ステイプル出力とを同一ＪＯＢ内に混在させる場合の形成される画像の向きについても全く考慮されていない。
【０００７】
また、特許文献２は、取り出しやすいように、常に長手方向の転写紙に画像形成を行うようにしているが、ステイプル出力とノン・ステイプル出力が同一ＪＯＢ内で混在した場合については考慮されていない。
【０００８】
一方、後処理を行う場合は、例えば、綴じたり、穴あけを行ったりする後処理装置の綴じ装置（ステイプラー）や穴あけ装置（パンチ）が所定の箇所に設定されているので、出力媒体の所望の位置を綴じたり、穴あけしたりする時は、出力媒体（転写紙）を平面的に回転させたり、裏返したりして、ステイプラーやパンチの実行位置が所望の位置に来るように制御している。
【０００９】
従って、後処理を行う転写紙は回転させるが、後処理を行わない転写紙は回転させる必要がないので、混在して排出される場合は、後処理を行うか否かで転写紙に形成される画像の向きが異なつて排出されていた。
【００１０】
従来は、ＪＯＢ単位でステイプル出力とノン・ステイプル出力とが設定されていたので、ステイプル出力の場合と、ノンステイプル出力の場合とで画像の向きが異なっても、ユーザーは、出力画像をＪＯＢ単位で取り出したり見たりするので、ＪＯＢ単位で画像の向きが揃っていれば、違和感はなかった。
【００１１】
しかしながら、本発明者らは、上記のように同一ＪＯＢ内に後処理を行う出力媒体と後処理を行わない出力媒体とを混在させる場合には、後処理を行う出力媒体と後処理を行わない出力媒体の出力画像の向きが異なると、出力画像の向きが一致するように、ユーザーが揃え直す必要があり、手間がかかり、作業性が悪いという問題を新たに見出した。
【００１２】
そこで、本発明は、後処理を行う出力媒体と後処理を行わない出力媒体とを同一ＪＯＢ内で混在させる場合のユーザーの使い勝手が向上された画像形成装置、画像形成システム、画像形成方法および画像形成プログラムを提供することを目的とする。
【課題を解決するための手段】
【００１３】
本発明は、下記構成を採ることで上記目的を達成できる。
（請求項１）
画像情報に基づき、出力媒体に画像を形成する画像形成手段と、前記画像形成手段により画像が形成された出力媒体に対して所定の後処理を行う後処理手段と、を有する画像形成システムであって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードを設定するための設定手段と、
前記設定手段により前記冊子分割モードが設定されている場合には、前記所定の後処理を行わない出力媒体に形成する画像の向きと前記所定の後処理を行う出力媒体に形成する画像の向きとが一致するように、画像情報を回転させるための回転基準を決定し、前記回転基準に基づき、前記画像情報に回転処理を施す画像処理手段と、を有することを特徴とする画像形成システム。
（請求項２）
前記画像処理手段は、前記所定の後処理を行う出力媒体に形成する画像の向きを前記回転基準に決定し、前記回転基準に基づき、前記所定の後処理を行わない出力媒体に形成するための画像情報に回転処理を施すことを特徴とする請求項１に記載の画像形成システム。
（請求項３）
画像情報に基づき、出力媒体に画像を形成する画像形成手段と、前記画像形成手段により画像が形成された出力媒体に対して所定の後処理を行う後処理手段と、を有する画像形成システムであって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードを設定するための設定手段と、
前記設定手段により前記冊子分割モードが設定されている場合には、前記所定の後処理を行わない出力媒体に形成する画像の向きと前記所定の後処理を行う出力媒体に形成する画像の向きとが一致するように、前記所定の後処理を行わない出力媒体に形成する画像のための画像情報の回転角度を決定し、前記回転角度に基づき、前記画像情報に回転処理を施すための画像処理手段と、を有することを特徴とする画像形成システム。
（請求項４）
実行される作動モードに後処理が指定されているか否かを判断する判断手段を備え、
前記判断手段は、
実行される作動モードに後処理が指定されていると判断した場合は、
後処理情報を取得し、前記冊子分割モードが設定されているか否かを判断することを特徴とする請求項１乃至請求項３の何れか１項に記載の画像形成システム。
（請求項５）
前記判断手段は、前記冊子分割モードが設定されていると判断した場合は、前記所定の後処理を行わない出力媒体に画像を形成するための画像情報に回転処理を施すように、前記画像処理手段を作動させることを特徴とする請求項４に記載の画像形成システム。
（請求項６）
前記回転基準に基づく前記画像情報への回転処理後の画像が前記出力媒体からはみ出すと判断された場合に、回転基準を再決定し、前記再決定された回転基準に基づき、前記画像情報に回転処理を施すことを特徴とする請求項１又は２に記載の画像形成システム。
（請求項７）
前記回転角度に基づく前記画像情報への回転処理後の画像が前記出力媒体からはみ出すと判断された場合に、回転角度を再決定し、前記再決定された回転角度に基づき、前記画像情報に回転処理を施すことを特徴とする請求項３に記載の画像形成システム。
（請求項８）
前記後処理手段は、所定の位置のみで前記所定の後処理を実行可能であることを特徴とする請求項１乃至請求項７の何れか１項に記載の画像形成システム。
（請求項９）
前記所定の後処理は、前記出力媒体に対して加工を施す処理であることを特徴とする請求項１乃至請求項８の何れか１項に記載の画像形成システム。
（請求項１０）
画像情報に基づき、出力媒体に画像を形成し、画像が形成された出力媒体に対して後処理を施す画像形成方法であって、
一連の画像情報に基づき、複数の出力媒体にわたり画像を形成し、前記複数の出力媒体のうち所定の後処理を行う出力媒体と所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、画像情報を回転させるための回転基準を決定し、
前記回転基準に基づき、前記画像情報に回転処理を施すことを特徴とする画像形成方法。
（請求項１１）
所定の後処理を行う出力媒体に形成する画像の向きを前記回転基準に決定し、前記回転基準に基づき、前記所定の後処理を行わない出力媒体に形成するための画像情報に回転処理を施すことを特徴とする請求項１０に記載の画像形成方法。
（請求項１２）
画像情報に基づき、出力媒体に画像を形成し、画像が形成された出力媒体に対して所定の後処理を施す画像形成方法であって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、前記所定の後処理を行わない出力媒体に形成する画像のための画像情報の回転角度を決定し、
前記回転角度に基づき、前記画像情報に回転処理を施すことを特徴とする画像形成方法。
（請求項１３）
実行される作動モードに後処理が指定されているか否かを判断し、
前記後処理が指定されていると判断した場合は、
後処理情報を取得し、前記冊子分割モードが設定されているか否かを判断することを特徴とする請求項１０乃至請求項１２の何れか１項に記載の画像形成方法。
（請求項１４）
前記冊子分割モードが設定されていると判断した場合は、前記所定の後処理を行わない出力媒体に画像を形成するための画像情報に回転処理を施すことを特徴とする請求項１３に記載の画像形成方法。
（請求項１５）
前記回転基準に基づく前記画像情報への回転処理後の画像が前記出力媒体からはみ出すと判断された場合に、回転基準を再決定し、前記再決定された回転基準に基づき、前記画像情報に回転処理を施すことを特徴とする請求項１０又は１１に記載の画像形成方法。
（請求項１６）
前記回転角度に基づく前記画像情報への回転処理後の画像が前記出力媒体からはみ出すと判断された場合に、回転角度を再決定し、前記再決定された回転角度に基づき、前記画像情報に回転処理を施すことを特徴とする請求項１２に記載の画像形成方法。
（請求項１７）
所定の位置のみで前記所定の後処理を実行可能であることを特徴とする請求項１０乃至請求項１６の何れか１項に記載の画像形成方法。
（請求項１８）
前記所定の後処理は、前記出力媒体に対して加工を施す処理であることを特徴とする請求項１０乃至請求項１７の何れか１項に記載の画像形成方法。
（請求項１９）
画像情報に基づき、出力媒体に画像を形成し、画像が形成された出力媒体に対して後処理を施す画像形成プログラムであって、
一連の画像情報に基づき、複数の出力媒体にわたり画像を形成し、前記複数の出力媒体のうち所定の後処理を行う出力媒体と前記所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、画像情報を回転させるための回転基準を決定し、
前記回転基準に基づき、前記画像情報に回転処理を施すことを特徴とする画像形成プログラム。
（請求項２０）
前記所定の後処理を行う出力媒体に形成する画像の向きを前記回転基準に決定し、前記回転基準に基づき、前記所定の後処理を行わない出力媒体に形成するための画像情報に回転処理を施すことを特徴とする請求項１９に記載の画像形成プログラム。
（請求項２１）
画像情報に基づき、出力媒体に画像を形成し、画像が形成された出力媒体に対して所定の後処理を施す画像形成プログラムであって、
一連の画像情報に基づき、複数の出力媒体にわたり画像を形成し、前記複数の出力媒体のうち前記所定の後処理を行う出力媒体と前記所定の後処理を施さない出力媒体とを混在させる冊子分割モードが設定されているか否かを判断し、
前記冊子分割モードが設定されている場合には、前記所定の後処理を行わない出力媒体に形成する画像の向きと前記所定の後処理を行う出力媒体に形成する画像の向きとが一致するように、前記所定の後処理を行わない出力媒体に形成する画像のための画像情報の回転角度を決定し、
前記回転角度に基づき、前記画像情報に回転処理を施すことを特徴とする画像形成プログラム。
（請求項２２）
実行される作動モードに後処理が指定されているか否かを判断し、
前記後処理が指定されていると判断した場合は、
後処理情報を取得し、前記冊子分割モードが設定されているか否かを判断することを特徴とする請求項１９乃至請求項２１の何れか１項に記載の画像形成プログラム。
（請求項２３）
前記冊子分割モードが設定されていると判断した場合は、前記所定の後処理を行わない出力媒体に画像を形成するための画像情報に回転処理を施すことを特徴とする請求項２２に記載の画像形成プログラム。
（請求項２４）
前記回転基準に基づく前記画像情報への回転処理後の画像が前記出力媒体からはみ出すと判断された場合に、回転基準を再決定し、前記再決定された回転基準に基づき、前記画像情報に回転処理を施すことを特徴とする請求項１９又は２０に記載の画像形成プログラム。
（請求項２５）
前記回転角度に基づく前記画像情報への回転処理後の画像が前記出力媒体からはみ出すと判断された場合に、回転角度を再決定し、前記再決定された回転角度に基づき、前記画像情報に回転処理を施すことを特徴とする請求項２１に記載の画像形成プログラム。
（請求項２６）
所定の位置のみで前記所定の後処理を実行可能であることを特徴とする請求項１９乃至請求項２５の何れか１項に記載の画像形成プログラム。
（請求項２７）
前記所定の後処理は、前記出力媒体に対して加工を施す処理であることを特徴とする請求項１９乃至請求項２６の何れか１項に記載の画像形成プログラム。
【発明の効果】
【００１４】
（１）本発明は、冊子分割モードが設定されている場合に、後処理を行う出力媒体に形成する画像の向きと後処理を行わない出力媒体に形成する画像の向きとが一致するように、画像情報を回転させるための回転基準を決めて、回転基準に基づき画像情報に回転を施すようにしたことにより、後処理手段から排出された出力媒体を取り出す時に、画像の向きを揃える必要が無く、出力媒体を取り出す作業時間が短縮でき、作業効率が大幅に向上した画像形成装置、画像形成システム及びその画像形成方法と画像形成プログラムを提供することができる。
【００１５】
（２）後処理を行う出力媒体に形成する画像の向きを回転基準にして、後処理を行わない出力媒体に形成するための画像情報に回転処理を施すようにしたことにより、後処理を行う出力媒体と後処理を行わない出力媒体に形成される画像の向きが一致するので、後処理手段から排出された出力媒体を取り出す時に、画像の向きを揃える必要が無く、出力媒体を取り出す作業時間が短縮でき、作業効率が大幅に向上した画像形成装置、画像形成システム及びその画像形成方法と画像形成プログラムを提供することができる。
【００１６】
（３）後処理を行う出力媒体に形成する画像の向きと後処理を行わない出力媒体に形成する画像の向きとを一致させるために、後処理を行わない出力媒体に形成する画像のための画像情報の回転角度を決定し、この回転角度に基づき、後処理を行わない出力媒体に形成する画像のための画像情報を回転処理するようにしたことにより、後処理を行う出力媒体と後処理を行わない出力媒体に形成される画像の向きが一致するので、後処理手段から排出された出力媒体を取り出す時に、画像の向きを揃える必要がなく、出力媒体を取り出す作業時間が短縮でき、作業効率が大幅に向上した画像形成装置、画像形成システム及びその画像形成方法と画像形成プログラムを提供することができる。
【００１７】
（４）実行される作動モードに後処理が指定されていると判断した場合は、後処理情報を取得し、冊子分割モードが設定されているか否かを判断するようにしたことにより、冊子分割モードが設定されている場合は、後処理を行う出力媒体と後処理を行わない出力媒体に形成される画像の向きが一致するので、後処理手段から排出された出力媒体を取り出す時に、画像の向きを揃える必要がなく、出力媒体を取り出す作業時間が短縮でき、作業効率が大幅に向上した画像形成装置、画像形成システム及びその画像形成方法と画像形成プログラムを提供することができる。
【００１８】
（５）冊子分割モードが設定されていると判断した場合は、後処理を行わない出力媒体に画像を形成するための画像情報に回転処理を施すようにしたので、後処理を行う出力媒体と後処理を行わない出力媒体に形成される画像の向きが一致するので、後処理手段から排出された出力媒体を取り出す時に、画像の向きを揃える必要がなく、出力媒体を取り出す作業時間が短縮でき、作業効率が大幅に向上した画像形成装置、画像形成システム及びその画像形成方法と画像形成プログラムを提供することができる。
【００１９】
（６）回転基準に基づく画像情報への回転処理後の画像が出力媒体からはみ出すと判断された場合に、回転基準を再決定し、前記再決定された回転基準に基づき、前記画像情報に回転処理を施すようにしたことにより、形成された画像が出力媒体からはみ出すことなく、信頼性が高く高品位な画像が形成できる画像形成装置、画像形成システム及びその画像形成方法と画像形成プログラムを提供することができる。
【発明を実施するための最良の形態】
【００２０】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００２１】
図１は本発明の一実施形態の画像形成システムの概略図、図２は本発明の一実施形態の画像形成の回路構成を示すブロック図、図３は出力媒体の出力状態の例を示す模式図、図４は本発明に係る形成される画像の回転角度の算出基準の例を示す模式図、図５は後処理を選択設定する表示画面の例を示す模式図、図６は冊子分割モードの詳細条件を選択設定する表示画面の例を示す模式図、図７は出力媒体に形成する画像の回転制御の例を説明するためのフローチャートである。
【００２２】
図１により本発明の一実施の形態の画像形成システムの構成について説明する。
【００２３】
本発明の実施の形態における画像形成装置２０は、説明を簡単にするために電子写真方式の複写機とする。電子写真方式の複写機はよく知られているので、本発明と直接関わりのない部分に関しては簡単に説明する。
【００２４】
２０は画像形成装置、３０は画像形成装置２０に装着された自動原稿送り装置（ＡＤＦ）、４０は画像が記録（形成ともいう。）された転写紙に対して、例えば、カバーシートを挿入（付加）したり、出力媒体に穴を開けたり、綴じたり、折ったり等の出力媒体へ加工を施す後処理機能を備えた後処理装置である。
【００２５】
特に、本実施の形態においては、詳細は後述するが、一連の画像情報に基づき出力媒体に画像を形成する際に、後処理を行わないで画像が形成された出力媒体を排出したり、後処理として、例えば、所定の頁の出力媒体束に対して綴じ処理（ステイプルともいう。）を行い冊子にして排出したりして、後処理を行う出力媒体と後処理を行わない出力媒体が混在して排出される冊子分割モードが実行できるようになっている。
【００２６】
画像形成装置２０は、筐体１の右側面部に比較的少量の出力媒体である転写紙Ｐを供給するための手差し皿２が設けられている。また、左側面部には、画像が形成された転写紙Ｐを排出して後処理装置４０に向けて搬送することができるようになっている。そして、筐体１の底面部には画像形成装置２０を移動できるようにするための複数のキャスター４が設けられている。
【００２７】
転写紙Ｐは、通常の転写紙Ｐと特殊な転写紙ＩＰに大別され、通常の転写紙Ｐは、標準紙又は普通紙と呼ばれるもので、特殊な転写紙ＩＰとしては、厚手の紙（厚紙）や薄手の紙（薄紙）、タブと称する突起が設けられたインデックス紙やＯＨＰシート、又は資源の節約のために、一般には通常の転写紙Ｐの片面に画像が一度形成された再利用紙と呼ばれるもの等がある。
【００２８】
筐体１の前面の上部には、画像形成装置２０を作動させるための表示手段３００及び操作入力手段２００としてのコントロールパネルＣＰが設けられている。
【００２９】
コントロールパネルＣＰには、液晶表示装置、あるいは、表示装置にタッチパネル等が組み込まれたタッチパネル式の液晶表示装置により構成された表示手段ＤＰ、キーボードＫＢ、スタート釦（コピー釦ともいう。）ＳＫ等の入力手段が設けられている。
【００３０】
タッチパネル式の表示手段ＤＰは、表示部に示されれる数字や文字や記号等が描かれたボタン等の図柄に使用者が触れると、表示部に示される情報の選択や設定等の入力ができるようになっており、作動モード等の選択設定を必要とする項目に対する入力手段を兼ねていることが多い。
【００３１】
例えば、コントロールパネルＣＰで、出力される転写紙に関し、印字（プリント、またはコピーともいう。）をカラー又は白黒の何れにするか、両面印字か片面印字か、あるいは後処理を行うか否かといった作動モードの選択設定や、後処理を行う場合はどのような後処理を行うかといった詳細な後処理条件の選択設定、また、転写紙として、どのような種類やサイズの転写紙を使用するか、また、出力するプリント枚数や部数、拡大縮小、濃度の設定等の種々の画像形成条件を選択したり入力したりして設定することができる。
【００３２】
特に、本実施の形態においては、一連の画像情報（単に、ＪＯＢともいう。）に基づき転写紙に画像を形成する際に、後処理を行う転写紙と後処理を行わない転写紙が混在して排出される冊子分割モードが選択設定でき、実行できるようになっている。
【００３３】
つまり、冊子分割モードにおいては、１つのＪＯＢ内で、後処理を行う転写紙と後処理を行わない転写紙とを混在させることができる。なお、本実施の形態においては、後述するように、後処理を行う転写紙に形成される画像の向きと後処理を行わない転写紙に形成される画像の向きとが同じ向きとなるように制御される。ここで、後処理とは、転写紙に加工を施す処理をいい、例えば、ステイプル処理、パンチ処理、折り処理、接着による製本処理等がある。後処理としては、特に、後処理を行うための手段の装置内での位置に制約がある等の理由により所定の位置または方向でのみ処理を施すことができる処理である場合に、本実施の形態の適用による効果が大きい。
【００３４】
また、操作入力手段２００としての入力装置であるキーボードＫＢは、主に数値等を入力する場合に使用し、スタート釦（コピー釦ともいう。）ＳＫは、画像形成装置２０のコピー等のＪＯＢの作動等を開始させる際に使用し、連携してＡＤＦ２０や後処理装置４０の作動を開始させたりすることができる。つまり、画像形成装置２０やＡＤＦ３０あるいは後処理装置４０等を含めた画像形成システムとして一連の画像形成動作の実行を開始させる際に使用するものである。
【００３５】
筐体１の内部には、制御手段ＥＣ、画像形成手段１１、画像読取手段１３、及び給排紙手段１４等が設けられている。
【００３６】
制御手段ＥＣは、制御回路とも呼ばれ、画像形成装置２０の全ての作動を制御するための制御手段であり、ＣＰＵ等からなる電気回路で構成されている。そして、ＣＰＵに予め記憶された制御プログラムや制御データ等に基づき、画像形成装置２０を構成する全ての手段を駆動制御するようになっている。
【００３７】
また、画像形成装置２０にＡＤＦ３０や後処理装置４０等の付属装置が接続されている場合は、同様に、これらの付属装置と連携し協働して、画像形成装置２０を中心とする画像形成システム全体が円滑に作動するように駆動制御するための制御手段としても機能するようになっている。
【００３８】
更に、ＬＡＮ（ローカル・エリア・ネットワーク）等で、パーソナルコンピュータあるいは、他の情報機器等と接続されている場合も、制御手段ＥＣは、これらの機器と協働して、作動に必要な情報の記憶や授受を含め支障なく円滑に駆動制御できるようになっている。
【００３９】
画像形成手段１１は、原稿等の画像情報に基づく画像を形成するための手段である。例えば、モータ等の駆動源により予め設定された作像方向（例えば、矢印で示す時計方向）に回転する感光体ドラム（感光体あるいは像担持体とも言う。）５、感光体ドラム５を一様に帯電する帯電手段６、画像情報（画像データともいう）に基づき感光体ドラム５に静電潜像を形成するための露光光を照射する露光手段（図示せず。）、感光体ドラム５に形成された静電潜像をトナー像として顕像化する現像手段７、感光体ドラム５に形成されたトナー像を転写紙Ｐ等に転写する転写分離手段８、トナー像が転写紙Ｐ等に転写された後、感光体ドラム５に残留するトナーや紙粉等を掻き落とすためのクリーニング手段９、及び、転写されたトナー像を転写紙Ｐに溶融固着するための定着手段１０等により構成されている。
【００４０】
なお、本実施の形態においては、説明を簡単にするために、画像形成手段１１は、感光体ドラム５が１個の場合について説明したが、例えば、前述の感光体ドラム５等を複数用いて、Ｙ（イエロー）、Ｍ（マゼンタ）、Ｃ（シアン）、Ｋ（黒）等のトナー像を中間転写体である転写ベルトに形成して転写紙に一括転写する、例えば、タンデム式の画像形成手段を用いても良いことは言うまでもない。
【００４１】
また、本実施の形態においては、転写紙によっては、巻き癖（カールともいう）が付き易く、転写紙が感光体ドラムから分離する際に、前述のカールの状態によっては分離しにくくなり、感光体ドラム５に巻き付いた状態となる事故を起こすことがあるので、これを防止するために、転写紙を感光体ドラム５から分離する転写分離手段８の作動を支援する手段として、感光体ドラム５に接触又は待避可能な爪部材を有する分離爪手段（分離手段）１５を備えている。
【００４２】
画像読取手段１３は、光源ＬＴ、ミラー群ＭＲ、結像レンズＬＺ等からなる読取光学系と、ＣＣＤ（固体撮像素子）等を含む電気回路からなる読取装置ＥＳとで、構成されている。
【００４３】
読取装置ＥＳは、画像形成装置２０が複写機の場合は、自動原稿送り装置３０の底部側に位置し、筐体１の上部に設けられたプラテンガラス（図示せず）上に載置した原稿や、自動原稿送り装置３０により、読取位置に搬送された原稿の画像情報を読取り、デジタルの画像データに変換して、制御手段ＥＣに設けられた記憶手段に画像データを、例えば、圧縮して記憶するようになっている。
【００４４】
また、ＡＤＦ３０により搬送された原稿を画像読取手段１３で読み取る場合は、読取位置に搬送された原稿を光源ＬＴが照射し、ミラー群ＭＲを介して、原稿からの反射光を結像レンズＬＺにより読取装置ＥＳのＣＣＤ面に結像させ、ＣＣＤの出力する画像情報を画像データとして記憶手段に記憶するようになっている。
【００４５】
給排紙手段１４は、給紙カセット１２と、駆動源としてのモータや複数のローラ、および搬送方向を規定するガイド部材や搬送方向を切り替えるレバー等の部材からなる給排紙搬送手段で構成されている。
【００４６】
給紙カセット１２は、例えば、特殊な転写紙ＩＰを収納するカセット１２ａと、普通紙Ｐを収納するカセット１２ｂとで構成されている。
【００４７】
給排紙搬送手段は、例えば、直進搬送手段と循環搬送手段とで構成され、直進搬送手段は、給紙カセット１２から搬送されてきた転写紙の片面に、画像形成手段１１により画像を形成して排紙することができる直進搬送路を有している。
【００４８】
また、循環搬送手段は、転写紙の表裏両面に画像を形成するために、片面（表面ともいう。）に画像が形成された転写紙を排紙方向への搬送途中で搬送方向を反転させ、かつ、表裏を反転させて、もう一方の片面（裏面ともいう。）に画像を形成するように搬送するための循環搬送路を有している。
【００４９】
そして、直進搬送手段と循環搬送手段のどちらを作動させるかは、操作入力手段２００で入力設定された片面印字または両面印字の印字面情報（印字モードともいう。）を、制御手段ＥＣが判断して制御するようになっている。
【００５０】
転写紙を搬送する場合は、制御手段ＥＣの指示により、循環搬送制御手段が給排紙搬送手段等を作動させ、例えば、片面に画像を形成する片面モードの場合は、特殊な転写紙ＩＰ又は普通紙Ｐを予め選択し設定した後に、駆動源であるモータを回転させることにより、複数のローラ群等を回転駆動させて、給紙カセット１２から適切なタイミングで感光体ドラム５に向けて予め選択された特殊な転写紙ＩＰ又は普通紙Ｐを給紙搬送し、原稿に基づく画像が形成された後に排紙搬送するようになっている。
【００５１】
また、両面に画像を形成する、所謂、両面印字（表裏両面印字ともいう。）を行う両面モードの場合は、制御手段ＥＣの指示により、循環搬送制御手段が給排紙搬送手段等を作動させ、画像形成手段１１により片面に画像が形成された転写紙が排紙方向（矢印Ｘ方向）へ搬送されている途中で、例えば、転写紙の先端部が反転ローラ１７を通過した時点で、反転ローラ１７の回転を停止させ、次に転写紙を画像形成手段１１へ戻す方向に搬送するように、反転ローラ１７の回転方向を切り替える。
【００５２】
同時に、反転部材１６を時計方向に回転させて、画像形成手段１１の方向に搬送されていた転写紙の進行方向を矢印Ｘ２に示す経路（循環搬送路ともいう。）に変更させる。
【００５３】
そして、予め設定された循環可能枚数に基づき循環搬送路内を搬送させることで、一次的に転写紙を待機させた状態にした後に、適切なタイミングで転写紙を矢印Ｘ２方向からＸ１方向へと搬送して、再度画像形成手段１１による画像形成を行わせ、両面印字された転写紙を後処理装置４０へ搬送するためにＸ方向へと排紙させるようになっている。
【００５４】
なお、一般には、転写紙の搬送経路には、転写紙を適切に搬送するためのガイド部材が設けられていることが多いが、本発明の実施の形態においては、説明を簡単にするために、ガイド部材に関する図示および説明を省略した。
【００５５】
自動原稿送り装置（ＡＤＦ）について簡単に説明する。
【００５６】
ＡＤＦ３０は、搬送装置全体がＡＤＦ筐体３１で覆われ、ＡＤＦ筐体３１の外部に原稿載置台３２と排紙部３３が設けられている。
【００５７】
原稿載置台３２には、例えば、第１頁の原稿面（表面）を最上部にした状態の複数の原稿ＷＰが載置される。載置された原稿ＷＰは、複数のローラ等により構成される原稿搬送装置により読取位置に搬送され、読取装置ＥＳで読み取られ、排紙部３３に排紙される。
【００５８】
原稿搬送装置は、図示せぬ駆動制御回路により、画像形成装置２０の制御手段ＥＣと連動して作動するようになっている。
【００５９】
後処理装置４０の構成について簡単に説明する。
【００６０】
後処理装置４０は、後処理装置の筐体４１に全体が覆われており、筐体４１の右側面部（画像形成装置２０側）には、画像形成装置２０から排紙される画像が形成された転写紙を受け入れるための挿入口４３が設けられ、左側面部には、供給前のカバーシートＫが載置されるカバーシート給紙部ｎ４、例えば、綴じられた転写紙束が積載される排紙皿（積み置き部）ｎ９、折り畳まれた転写紙束を受ける排紙皿ｎ１０が設けられている。
また、筐体４１の底面部には後処理装置４０を移動できるようにするための複数のローラ４２が設けられている。
【００６１】
筐体４１の内部には、画像形成装置２０の制御手段ＥＣと連動して作動するように図示せぬ駆動制御回路やモータ等の駆動源が設けられている。また、シフト処理部および穴あけ部（パンチ部ともいう。）ｎ５、中間スタッカ（積み置き部）ｎ６、ステープラ（綴じ装置）ｎ７、折り畳み装置ｎ８が設けられており、更に、搬送路Ｒ５，Ｒ６，Ｒ７，Ｒ８，Ｒ９，Ｒ１０，Ｒ１１，Ｒ１２、Ｒ１３、Ｒ１４が構成されている。
【００６２】
搬送路Ｒ１〜Ｒ１１は、主に、駆動ローラと従動ローラとからなる搬送ローラ対を複数配置した後処理用搬送装置により形成され、例えば、搬送路Ｒ６に沿って、カバーシートＫを１枚ずつ取り出すピックアップローラ４４や取り出したカバーシートＫの搬送を一旦停止させ、待機状態にすることができる搬送ローラ対からなるプレフィード停止位置Ｑ３が設けられている。
【００６３】
また、搬送路Ｒ５からＲ８またはＲ９へ、Ｒ７からＲ８またはＲ９へと搬送路を変更するための回転可能なガイドＬＢからなる搬送路変更手段が設けられている。
【００６４】
なお、表紙等に用いられるカバーシートＫは、一般には、紙や樹脂フィルム等の材質で形成されたシートが用いられるが、場合によっては、特殊な材質や特殊な加工を施した、例えば、木材や皮革、金属箔によるシート等も用いられることがある。
【００６５】
ここで、後処理装置４０の作動について簡単に説明する。
【００６６】
なお、説明を簡単にするために、カバーシートは表紙として挿入されるものとし、事前に、カバーシートＫを表紙として挿入することが解っているものとする。なお、これらの前提条件は、画像形成装置２０の操作入力手段２００により予め設定されているものとする。
【００６７】
カバーシートＫを挿入する場合は、画像形成装置２０と連携して作動する後処理装置４０の駆動制御回路を介して後処理用搬送装置を作動させ、まず、カバーシート給紙部ｎ４に載置されたカバーシートＫが、ピックアップローラ４４により１枚毎に取り上げられて搬送路Ｒ６に沿って搬送されて、先端をプレフィード停止位置Ｑ３に当接させた位置で停止する。
【００６８】
画像形成装置２０からの情報により、画像形成装置２０から画像が形成された転写紙が排出されるタイミングに合わせて、後処理搬送装置が再起動され、プレフィード停止位置Ｑ３で停止し待機状態にあるカバーシートＫは送り出され（再搬送され）、搬送路Ｒ７に沿って進む。
【００６９】
ステープル（綴じ）又は折りを行わない場合には、ガイドＬＢが図示位置に停止しているので、搬送路Ｒ７からＲ８へと搬送されＲ１３へと搬送されて排紙皿ｎ９へと排出される。引き続いて、画像が形成された転写紙が挿入口４３から搬送路Ｒ５へと進入し、続いてＲ８からＲ１３へと搬送されて排紙皿ｎ９へと排出され、カバーシート付き転写紙束が形成されるようになっている。
【００７０】
ステープル又は折りを行う場合は、ガイドＬＢが図示位置より反時計方向に回転して停止しているので、カバーシートＫはプレフィード停止位置Ｑ３から送り出され、更に、搬送路Ｒ７から搬送路Ｒ９に沿って搬送されて中間スタッカｎ６へ排出される。
【００７１】
同様に、画像が形成された転写紙が挿入口４３から搬送路Ｒ５へと進入すると、ガイドＬＢが図示位置より反時計方向に回転して停止しているので、転写紙は搬送路Ｒ８には搬送できずＲ９へと進路が変更される。そして、搬送路Ｒ９に沿って搬送されて中間スタッカｎ６へ排出される。このとき、中間スタッカｎ６では、先に排出されたカバーシートＫと後続する転写紙が揃えられ、カバーシート付き転写紙束が形成されるようになっている。
【００７２】
ステープルを行う場合は、カバーシートＫと転写紙が一緒にステープラｎ７により綴じられた後に、搬送路Ｒ１０からＲ１３へと搬送され、排紙皿ｎ９へ排出され、綴じられたカバーシート付き転写紙束が形成されるようになっている。
【００７３】
ステープルと折りを行う場合は、カバーシートＫと転写紙が一緒にステープラｎ７により綴じられた後に、搬送路Ｒ１１に沿って搬送され、折り畳み装置ｎ８によりカバーシートＫと転写紙が一緒に折り畳まれた後に搬送路Ｒ１２からＲ１４へと搬送され排紙皿ｎ１０へと排出され、綴じられたり、折り畳まれたカバーシート付き転写紙束が形成されるようになっている。
【００７４】
ソートを行う場合は、カバーシートＫは搬送路Ｒ８の途中に設けられたシフト処理部ｎ５で一旦停止され、この位置で、後続する転写紙が積載される。その後、カバーシートＫと転写紙は一緒に搬送方向に垂直でシート面に平行な上下方向へ移動することができるようになっており、また、図示はしないが排紙皿ｎ９が複数段に構成されているので、シフト処理部ｎ５と排紙皿ｎ９との連携動作で、排紙皿ｎ９の格段にカバーシートＫを搬送することが出来るようになっている。
【００７５】
単に、折りを行う場合、中間スタッカｎ６へ排出され中間スタッカｎ６上に積み置かれたカバーシートＫと転写紙は、中間スタッカｎ６で揃えられた後に、搬送路Ｒ１１に沿って折り畳み装置ｎ８へ搬送され、折り畳み装置ｎ８により折り畳まれた後、搬送路Ｒ１２からＲ３に沿って搬送されて排紙皿ｎ１０へ排出される。なお、折り畳み装置ｎ８から排紙皿ｎ９へ排出されるように構成しても良い。
【００７６】
次に、図２により画像形成システム１８０の回路構成について説明する。
【００７７】
１００は画像形成装置２０の各種手段と回路との構成を示しており、１１０は画像形成装置全体の制御を行うＣＰＵであり、画像形成装置２０を制御するための各種モードのプログラムやプログラムを実行するために必要なデータ等が予め記憶されている。
【００７８】
ＣＰＵ１１０には、情報制御回路１２０、画像処理回路１４０、駆動制御回路１５０および電源回路４００等が接続されている。そして、これらの回路とＣＰＵ１１０とにより図１に示す制御手段ＥＣが構成され、後述する自動原稿送り装置３０や後処理装置４０と連携して画像形成装置２０を中心とする画像形成システム全体の制御ができるようになっている。
【００７９】
情報制御回路１２０は、ＣＰＵ１１０の指示により、インタフェース（Ｉ／Ｆ）１３０を介して外部情報機器５００と接続して、文字や画像等の画像情報や画像形成等に必要な濃度や倍率等の設定情報をＪＯＢ情報として、１つの印刷単位である１ＪＯＢ単位で入力し記憶手段１６０に記憶する。また、記憶手段１６０に記憶された設定情報等を画像処理回路１４０や駆動制御回路１５０、あるいは表示手段３００等に出力するようにしている。
【００８０】
また、本実施の形態においては、詳細は後述するが、情報制御回路１２０は、操作入力手段２００により、後処理を行う後処理モードが選択されたか否かを判断し、後処理モードが選択されている場合は、後処理モードであることをＣＰＵ１１０に入力し、ＣＰＵ１１０は、選択された後処理に対応する作動を行うように、駆動制御回路１５０を介して後処理装置を作動させるために、予め設定されたプログラムを実行するようになっている。
【００８１】
また、後処理モードが選択され、更に、冊子分割モードが選択されている場合は、同様に、情報制御回路１２０は冊子分割モードが選択されていることをＣＰＵ１１０に入力し、ＣＰＵ１１０は画像処理回路１４０を作動させ、例えば、後処理を行う転写紙の画像の向きを基準に、後処理を行わない転写紙の画像の向きを回転させるために、画像情報の回転を行う画像処理を行うように予め設定されたプログラムを実行するようにしている。
【００８２】
特に、本実施の形態においては、冊子分割モードでは、後処理を行う転写紙に形成する画像の向きと後処理を行わない転写紙に形成する画像の向きとが一致するように、後処理を行う転写紙を基準に画像の向きを一致させる。そのため、後処理を行わない転写紙の画像の向きを回転させるが、この画像の回転のために行う画像情報（画像データ）の回転処理に必要な、例えば、原稿のサイズや原稿の画像の向き、あるいは、転写紙のサイズ等を取得して記憶手段１６０に記憶するようにしている。
【００８３】
また、複写機能を実行する場合は、タッチパネル式の液晶表示装置ＤＰにより後処理モードが選択されると、情報制御回路１２０は、予め記憶手段１６０に記憶されている後処理モードを読み出して、後処理モードが実行できるように画像形成装置２０や後処理装置４０等の各種手段や回路を設定し、プリンタ機能を実行する場合は、インタフェース（Ｉ／Ｆ）１３０を介して外部情報機器５００から入力された後処理モードが実行できるように情報制御回路１２０が、同様に各種手段や回路を設定するようになっている。
【００８４】
また、外部情報機器５００から入力したＪＯＢ情報の他に、ＪＯＢ情報に付随したデータ（ＪＯＢデータともいう。）、例えば、画像処理回路１４０や駆動制御回路１５０等を含む各種回路や各種手段を作動させるための詳細な制御に関する指示情報等の入出力、及び操作入力手段２００で入力された転写紙の種類や画像形成モード等に関連する各種情報等を、自動的に、画像形成装置の作動に支障がないように、適宜円滑に画像形成装置の各回路や各種手段に伝達する機能を有している。
【００８５】
また、情報制御回路１２０は、各種回路や各種手段に設けられたセンサ等から出力される各種情報を判断して、ＣＰＵ１１０が適切な指示を与えられるように支援する機能も有している。
【００８６】
なお、外部情報機器５００としては、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【００８７】
インタフェース（Ｉ／Ｆ）１３０は、情報授受手段であり、前述のコンピュータや他の画像形成装置、インターネット・サーバー等の外部情報機器５００と各種ネットワークを介して接続できるように構成されている。
【００８８】
操作入力手段２００は、画像形成装置２０のコントロールパネルＣＰに設けられたキーボードＫＢ、及び、スタート釦ＳＫ等の釦類からなる入力装置、及び、表示装置を兼ねるタッチパネル方式の液晶表示装置ＤＰ等により構成されている。
【００８９】
例えば、スタート釦ＳＫを押すと、ＡＤＦ３０に載置された原稿の搬送を開始し、コピー作動を開始すると共に、後処理モードが設定されている場合は、後処理装置４０とも連携して作動するようになっている。
【００９０】
また、キーボードＫＢを操作することにより、転写紙の出力枚数や種類（例えば、インデックス紙、厚紙、普通紙、薄紙、再生紙、ＯＨＰシート、再利用紙等）、あるいは拡大縮小等の倍率や出力画像の濃度等の設定情報が入力でき、液晶表示装置ＤＰを使用して、画像形成装置２０の各種作動モードを設定することができるようになっている。
【００９１】
画像形成モードに関しては、例えば、（１）片面印字原稿を片面印字出力する。（２）片面印字原稿を両面印字出力する。（３）両面印字原稿を片面印字出力する。（４）両面印字原稿を両面印字出力する。以上４つのモードがあり、それぞれ液晶表示装置ＤＰにボタン表示されていて選択設定できるようになっている。
【００９２】
本発明の実施の形態においては、表示と入力を兼ねた動作が可能なタッチパネル方式の表示装置ＤＰにより、特に、後処理装置４０に対する後処理条件を設定することができ、例えば、カバーシート挿入やステイプル、折り畳み、ソート等の後処理モードや、カバーシート挿入モードの際に、挿入する位置としてのページ数を設定したり、表用、裏用、折り曲げることにより表用と裏用になる表裏一体のカバーシート、あるいは、中間挿入用等のカバーシートの種類等の各種条件をカバーシート挿入条件として設定したりすることができるようになっている。
【００９３】
特に、本実施の形態においては、後処理を行う転写紙と、後処理を行わない転写紙を混在して出力することができる冊子分割モードを備えており、前述のタッチパネル方式の表示装置ＤＰにより、冊子分割モードで、具体的にどのような後処理を行わせるか等の詳細な条件設定を行うことができる。
【００９４】
表示手段３００には、操作入力手段２００により前述の各種情報を入力する際の操作手順や各種情報の一覧表示、あるいは記憶手段１６０に記憶された情報の表示、画像形成装置２０を中心とする画像形成システム全体の作動中の状態表示や警告表示等が表示されるようになっている。
【００９５】
なお、前述のように、操作入力手段２００のタッチパネル方式の表示装置ＤＰにより、表示装置が兼用されている。
【００９６】
画像処理回路１４０は、ＣＰＵ１１０の指示により、画像読取手段１３が読み取った原稿の画像情報を、例えば、デジタル変換して、画像データとして圧縮して記憶手段１６０に記憶させたり、或いは、画像形成手段１１が画像を形成する際に、記憶手段１６０に記憶されている画像データを伸張して画像形成手段１１の画像形成方式に適したデータや信号等に変換する回路である。
【００９７】
特に、本実施の形態においては、例えば、本文がステイプルされ、参考資料がノン・ステイプル出力されるというように、後処理を行う転写紙と後処理を行わない転写紙が１つのＪＯＢの中で混在する冊子分割モードにおいては、情報制御回路１２０の指示により、後処理を行う転写紙と後処理を行わない転写紙に形成される画像の向きを一致させるために、１頁毎に転写紙に形成される画像を回転させるための基準を設定し、この基準に基づき、転写紙に形成される画像に関する画像情報（画像データ）を回転させる画像処理を行わせるプログラムが実行されるようになっている。
【００９８】
なお、本実施の形態においては、後処理の種類や転写紙に対して後処理を行う位置によっては、後処理を行う装置の設置位置等の制約により、後処理を行う時の回転状態が様々な状態となるので、後処理装置から出力される場合も同様に、回転状態が様々な状態となる。従って、後処理を行う転写紙に形成された画像の向きを画像を回転させるための基準とし、後処理を行わない転写紙に形成される画像を回転させるようにしている。
【００９９】
駆動制御回路１５０は、ＣＰＵ１１０の指示により、画像形成手段１１、画像読取手段１３、給排紙手段１４、及び、ＡＤＦ３０や後処理装置４０等を、予め設定された作動モードに基づき、適切なタイミングで作動させ画像形成作動を行なわせるための回路である。
【０１００】
記憶手段１６０は、画像を形成するために必要な画像データ及び画像形成装置２０を制御するための設定条件等からなるＪＯＢ情報やＪＯＢデータ、及び、画像形成装置２０が実行するための各種設定モードのプログラム等の情報を記憶するようになっている。
【０１０１】
なお、ＪＯＢ情報及びＪＯＢデータに関して、本発明の実施の形態においては、以下のように定義する。
【０１０２】
ＪＯＢ情報とは、画像形成装置２０が複写機の場合は、例えば、原稿の画像情報に基づき、原稿をセットし、片面又は両面モードの選択、給紙カセットの選択、コピー部数の選択、印刷濃度の選択などの、個々の仕事（ＪＯＢ）の情報を意味し、出力設定を行い、コピー開始を指示することにより決定される一連の画像データをいう。そして、このような１つの印刷指示（１印刷単位ともいう。）に対応した印刷データ群を１ＪＯＢという。
【０１０３】
また、同様に、画像形成装置が、例えば、プリンターの場合は、外部情報機器５００から送信された一連の印刷データ群をＪＯＢ情報といい、１つの印刷指示に対応した印刷データ群を１ＪＯＢという。そして、１ＪＯＢ毎にＪＯＢ情報やＪＯＢデータを取り扱うことを１ＪＯＢ単位という。
【０１０４】
なお、ＪＯＢデータとは、ＪＯＢ情報に付随した、例えば、転写紙に応じた搬送速度の設定、あるいは、画像形成動作を実行するための詳細な制御項目に関連する制御値のデータをいう。
【０１０５】
従って、記憶手段１６０には１つのＪＯＢ毎に、つまり１ＪＯＢ単位（単に、ＪＯＢ単位ともいう。）でＪＯＢ情報やＪＯＢデータが記憶されている。
【０１０６】
画像形成手段１１は、図１に示すように、感光体ドラム５、帯電手段６、現像手段７、転写分離手段８、クリーニング手段９、定着手段１０、及び分離爪手段１５等により構成され、駆動制御回路１５０により作動される。
【０１０７】
従って、画像形成手段１１は、画像読取手段１３で読み取られ、記憶手段１６０に記憶された画像データ及びＪＯＢ情報やＪＯＢデータに基づいて制御されて、感光体ドラム５に画像を形成し、普通紙Ｐまたは再利用紙ＩＰに画像を転写し記録するようになっている。
【０１０８】
画像読取手段１３は、図１に示すように、読取光学系と読取装置ＥＳとで構成されている。駆動制御回路１５０により作動され、読取位置に搬送された原稿の画像情報を読取装置ＥＳで読み取り、読み取られた画像情報は、画像処理回路１４０により、例えば、デジタルの画像データに変換され圧縮されて、記憶手段１６０に記憶されるようになっている。
【０１０９】
給排紙手段１４は、前述のように、給紙カセット１２と、給排紙搬送手段、循環搬送制御手段や循環可能枚数設定手段で構成されている。
【０１１０】
自動原稿送り装置（ＡＤＦ）３０は、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【０１１１】
後処理装置４０は、ＣＰＵ１１０の指示により、駆動制御回路１５０と連携して、後処理装置４０の駆動制御回路を介して後処理用搬送装置を作動させ、カバーシート挿入やステイプル、折り畳み、ソート等の後処理モードを予め設定されたプログラムや操作入力手段２００で設定された後処理条件等に基づき作動する。
【０１１２】
電源回路４００は、使用者の操作により、電源スイッチ（図示せず）が投入されると、電源から適切な通電が画像形成装置全体に行われ、電源スイッチが遮断されると、通電が遮断されるようになっている。
【０１１３】
なお、電源スイッチが投入されていても、例えば、画像形成装置を待機状態にする省電モードの場合は、ＣＰＵ１１０の指示により、一時的なメモリの記憶内容等の保存のために必要な通電のみを継続し、定着手段のヒータ等の他の通電を遮断するするようになっている。
【０１１４】
ここで、図３により、本実施の形態における転写紙に形成される画像の回転について説明する。
【０１１５】
図３は、例えば、５枚の原稿ＰをＡＤＦ３０により搬送し、画像形成装置２０で原稿Ｐの画像を画像情報として読み取り、画像情報（画像データ）に基づき５枚の転写紙に画像を形成して矢印Ｘ方向に搬送され、後処理装置４０を経て後処理装置の排紙トレイＴに出力する転写紙（Ｐａ、Ｐｂ、Ｐｃ、Ｐｄ）の状態を上方より見たものとして示した模式図である。
【０１１６】
なお、本実施の形態においては、図３の原稿Ｐおよび転写紙（Ｐａ、Ｐｂ、Ｐｃ、Ｐｄ）に付された１〜５の数字は、頁数を示すと共に、転写紙に形成された画像の向きを示すものとする。つまり、数字が正しく表記されている方向を上向きとする。
【０１１７】
図３の（Ａ）図は、５枚の原稿Ｐの画像データに基づき５枚の転写紙Ｐａに画像を形成した後に、後処理を行わないで出力（排紙）した状態を示しており、例えば、原稿Ｐの画像の向きと出力する転写紙Ｐａの画像の向きが同方向で出力されている状態を示している。
【０１１８】
この場合は、出力する転写紙Ｐａに形成された画像の向きが全て同方向（図面に対して上方向）に一致しているので、後処理装置の排紙トレイＴから転写紙を取り出す時に、又は取り出した後に、転写紙に形成された画像の向きを揃える必要はない。
【０１１９】
図３の（Ｂ）図は、同様に、原稿Ｐの画像データを転写紙Ｐｂに画像を形成した後に、後処理として、例えば、左上１カ所の綴じ処理を全頁に対して行った状態を示しており、綴じ装置の配置等により、原稿Ｐの画像の向き（上向き）に対して、綴じ処理が行われ冊子として出力する転写紙Ｐｂの画像の向きは、１８０°回転（下向き）されて出力されている状態を示している。
【０１２０】
この場合は、出力する転写紙Ｐｂの画像の向きは、１８０°回転されているが、出力する転写紙Ｐｂに形成された画像の向きが全て同方向に一致しているので、後処理装置の排紙トレイＴから転写紙を取り出す時に、又は取り出した後に、転写紙に形成された画像の向きを揃える必要はない。
【０１２１】
図３の（Ｃ）図は、同様に、原稿Ｐの画像データを転写紙に画像を形成した後に、例えば、１頁と２頁は後処理を行わないで出力し、３頁〜５頁を綴じ処理を行って冊子として出力した冊子分割モードの状態を示しており、出力する転写紙Ｐｃの１頁と２頁の画像の向きは原稿Ｐの画像の向きと同じ方向であるが、冊子として出力する３頁〜５頁の画像の向きが、原稿Ｐの画像の向きに対して、１８０°回転されて出力されている状態を示している。
【０１２２】
この場合は、後処理を行わない１頁と２頁の転写紙に形成された画像の向きと、後処理されて出力する３頁〜５頁の冊子として出力する転写紙Ｐｃの画像の向きとが、相対的に、１８０°回転されているので、後処理装置の排紙トレイＴから転写紙Ｐｃを取り出す時に、又は取り出した後に、後処理を行わない１頁と２頁の転写紙、又は後処理されて３頁〜５頁が綴じられた冊子として出力される転写紙Ｐｃの何れかを回転させて、転写紙に形成された画像の向きが一致するように揃える必要がある。
【０１２３】
従って、図３の（Ｃ）図に示す状態では、ユーザーによる後処理装置から出力された転写紙の画像の向きを一致させるために揃える作業を必要とするために作業効率が悪く、また、ユーザーによる画像の向きを揃える作業では、画像の向きを回転させることを忘れたりする作業ミスが発生したりして、更にチェックを必要とするなど、作業が煩雑で信頼性が低く、一層作業効率が悪いものになっていた。本実施の形態は、図３の（Ｃ）図に示すような状態で転写紙が排紙されることを改善するものである。
【０１２４】
図３の（Ｄ）図は、本発明に係り、原稿Ｐの画像データを転写紙に画像を形成した後に、例えば、１頁と２頁は後処理を行わないで出力し、３頁〜５頁を綴じ処理を行って冊子として出力した冊子分割モードの状態を示しており、冊子として出力する３頁〜５頁の画像の向きが原稿Ｐの画像の向きに対して、１８０°回転されて出力されているが、後処理を行わないで出力する転写紙Ｐｄの１頁と２頁の画像の向きも原稿Ｐの画像の向きに対して、１８０°回転されて出力されている状態を示している。
【０１２５】
この場合は、後処理を行わない１頁と２頁の転写紙に形成された画像の向きと、後処理されて出力する３頁〜５頁の冊子として出力する転写紙の画像の向きは、原稿Ｐの画像の向きに対して、１８０°回転されているが、出力される転写紙Ｐｄに形成される画像の向きが１頁〜５頁で一致しているので、後処理装置の排紙トレイＴから転写紙Ｐｄを取り出す時に、又は取り出した後に、ユーザーが画像の向きを揃える必要はないので、前述のような画像の向きを回転させる時の作業ミスが発生せず、信頼性が高く作業効率が著しく向上する。
【０１２６】
なお、出力される転写紙の画像の向きを揃えるためには、後処理を行わない転写紙を回転させるか、あるいは後処理を行う転写紙を回転させる必要があるが、一般に、後処理を行う場合は、前述のように、例えば、後処理を行うための綴じ装置や穴あけ装置等の設置位置と所望の後処理位置等の関係により、転写紙を回転する回転角度が様々に変化するので、後処理を行う転写紙の画像の向きを基準に、後処理を行わない転写紙の画像の向きを一致させるように回転させることが好ましい。
【０１２７】
図４により、転写紙に形成される画像の回転角度の算出基準について説明する。
図４は、後処理装置と原稿および出力される転写紙との関係と、後処理を指定された転写紙の位置に実行するための転写紙の回転角度との関係を示すものである。
【０１２８】
図４の（Ａ）図は、後処理装置と原稿および出力される転写紙との関係を示すもので、入力側の原稿ＰがＡＤＦ３０により画像形成装置２０の読取位置に搬送され、画像形成装置２０の読み取り手段で原稿の画像情報が読み取られる。引き続いて、画像形成装置２０により読み取られた原稿の画像情報に基づき転写紙に画像が形成され、後処理装置４０に設けられた、例えば、綴じ装置（ステイプラ）ＳＰにより転写紙を綴じる処理が行われる。その後、矢印Ｘ方向に搬送されることにより後処理装置４０の排紙トレイＴに、画像が形成され後処理の指定位置ＰＡに後処理が行われた転写紙Ｐ１が出力される状態を示している。
【０１２９】
このように、一般には、後処理装置の、例えば綴じ装置等の位置は機構的な制約等により設置位置が固定されているため、転写紙におけるの後処理の指定位置ＰＡに後処理を行うために、転写紙を回転させている。
【０１３０】
図４の（Ｂ）図は、後処理を指定された転写紙の位置ＰＡに実行するための転写紙の回転角度との関係を示すもので、縦軸に入力側の原稿の状態を示し、横軸に出力側の転写紙の状態を示している。なお、長方形の枠は原稿又は転写紙の用紙の形状を示し、長方形の枠内に表記されたＡの文字は、正しく表記された方向を「上向き」とする画像の向きを示すものとする。
【０１３１】
本実施の形態において、画像情報の回転処理を施さない場合は、転写紙に形成される画像の向きは、図４の（Ａ）図に示すように、原稿Ｐおよび画像が形成された転写紙Ｐ１の搬送方向（矢印Ｘ方向）に対して直交する方向であって、転写紙Ｐ１に形成された「ＡＢＣ」の文字が正しく表記された方向、つまり、図４の（Ｂ）図に示す「上向き」を基準の方向としている。
【０１３２】
図４の（Ｂ）図に示すように、ＡＤＦ３０の原稿載置位置に載置される原稿の状態は、例えば、原稿の紙面の向きとして原稿の搬送方向に対して直交する方向に原稿の紙面の長手方向が位置する場合と、搬送方向に対して原稿の紙面の長手方向が位置する場合とがあり、また、原稿の画像の向きとして、上向き、左向き、下向き、右向き等の場合がある。
【０１３３】
また、出力される転写紙の状態、つまり排紙トレイＴ上での転写紙の状態として、原稿の状態と同様に、転写紙の向きとして搬送方向に対して直交する方向に転写紙の長手方向が位置する場合と、搬送方向に対して転写紙の長手方向が位置する場合とがあり、例えば、ステイプル（綴じ処理）やパンチ（穴あけ処理）を行う場合に、ステイプル（左１カ所）、ステイプル（右１カ所）、ステイプル（左２：左２カ所）パンチ（左：左側１カ所２穴）、ステイプル（右２：右２カ所）パンチ（右：右側１カ所２穴）、ステイプル（上２：上２カ所）パンチ（上：上側１カ所２穴）等の場合がある。
【０１３４】
図４の（Ｂ）図に示すこれらの関係は、本実施の形態においては、図２に示す記憶手段１６０に記憶されている。
【０１３５】
例えば、画像形成装置２０のコントロールパネルＣＰの表示手段ＤＰで、入力側が上向きで出力側がステイプル（左１カ所）の後処理条件が選択された場合は、転写紙における後処理の指定位置ＰＡに後処理を行うために、制御回路ＥＣの情報制御回路１２０が画像処理回路１４０を作動させ、入力側の画像情報を１８０°回転させるようにすれば出力側の状態が得られることが解る。
【０１３６】
従って、後処理を行わない転写紙をこの基準に基づき回転すれば、図３の（Ｄ）図に示すように、後処理装置の排紙トレイＴ上に、後処理を行う転写紙に対して後処理を行わない転写紙の画像の向きが一致することになる。
【０１３７】
なお、本実施の形態においては、後処理を行う転写紙上に形成する画像は図４の（Ｂ）図を基準に回転するようになっているが、後処理を行う転写紙上に形成する画像をどのように回転させるかは、これにかぎらず、使用する後処理装置よって、変化させても良いことは言うまでもない。
【０１３８】
図５は、出力条件の選択と設定表示の１例を示している。本実施の形態においては、例えば、コントロールパネルＣＰにおけるタッチパネル式の表示手段ＤＰに図５に示すような表示画面が表示される。
【０１３９】
この表示画面では、例えば、原稿サイズ（ａ）がＡ４（ａ１）で縦置き（ｂ）が選択され、用紙供給（ｃ）は自動（ｃ１）で、コピー部数（ｄ）は１部（ｄ１）が選択されている。また、後処理としては、綴じ処理（ｅ）としては１カ所綴じ（ｅ１）が選択され、綴じ位置（ｆ）は左上側（ｆ１）が選択されていることが解る。
【０１４０】
また、図６は、後処理の詳細な条件の選択と設定表示の１例を示している。詳細な設定方法等に関する説明は割愛するが、例えば、コントロールパネルＣＰにおけるタッチパネル式の表示手段ＤＰに表示された表示画面の選択設定条件表示部（ｇ）に、図３の（Ｄ）図に示す状態の場合は、１〜２頁は後処理を行わず、３〜５頁は１カ所綴じ（１  Ｓｔａｐｌｅ）を行う冊子分割モードが選択設定されていることが解る。
【０１４１】
次に、図７のフローチャートにより転写紙に形成する画像の回転制御について説明する。なお、前提として、本実施の形態においては、画像形成装置は複写機とする。また、１ＪＯＢで後処理を行う転写紙と後処理を行わない転写紙が混在して出力される冊子分割モードを備えているものとする。また、転写紙に形成する画像の回転制御は、転写紙に画像を形成する１頁単位の画像データに対して実行されるものとする。そして、画像の回転制御が行われた後は、設定された回転角度で転写紙に画像が形成され排出されるものとする。なお、必要に応じて、適宜、図１から図６を参照して説明するものとする。
【０１４２】
（ＳＴ１）
原稿情報を取得するステップである。例えば、ＣＰＵ１１０は情報制御回路１２０を作動させ、後処理を行わない転写紙の画像の向きを回転させるために、回転角度算出に必要な原稿情報（原稿サイズ、画像向き等）を取得し、以降の制御を速やかに実行できるように記憶手段１６０に記憶してＳＴ２へ進む。
【０１４３】
（ＳＴ２）
転写紙情報を取得するステップである。ＳＴ１と同様に、ＣＰＵ１１０は情報制御回路１２０を作動させ、転写紙情報（転写紙サイズ）を取得し、記憶手段１６０に記憶してＳＴ３へ進む。
【０１４４】
（ＳＴ３）
後処理が選択され設定されているか否かを判断するステップである。情報制御回路１２０は、設定されている作動モードに関する情報を取得して、後処理を実行する後処理モードが選択設定されていない場合はＳＴ９に進み、後処理モードが選択設定されている場合は、ＳＴ４に進む。
【０１４５】
（ＳＴ４）
後処理情報を取得するステップである。後処理モードが設定されている場合は、情報制御回路１２０は、操作入力手段２００であるコントロールパネルＣＰやタッチパネル式の入力手段でもある表示手段ＤＰ等により選択設定された後処理モードに対して、設定されている詳細な後処理条件としての後処理情報の取得を行う。
【０１４６】
例えば、詳細な後処理条件として、ステイプルやパンチ等の後処理の種類や、ステイプルやパンチ等の後処理を行う位置、例えば、左１カ所、右２カ所等の位置の情報、あるいは、後処理を行う転写紙と後処理を行わない転写紙が混在する冊子分割モードや後処理を行わない転写紙が混在しない一括後処理モード等の後処理モード情報等を合わせて取得してＳＴ５に進む。
【０１４７】
（ＳＴ５）
冊子分割モードか否かを判断するステップである。情報制御回路１２０が取得した後処理情報の中に、冊子分割モードが選択設定されていると判断した場合は、ＳＴ６に進み、冊子分割モードが選択設定されていない、つまり、冊子分割モード以外の後処理モード、例えば、一括後処理モードが選択されていると判断した場合は、ＳＴ１０に進む。
【０１４８】
（ＳＴ６）
回転基準を決定するステップである。本実施の形態においては、情報制御回路１２０が後処理される転写紙の画像の向きを基準として画像処理回路１４０に回転基準を設定するとＳＴ７に進む。
【０１４９】
（ＳＴ７）
回転角度を算出するステップである。情報制御回路１２０は、画像処理回路１４０を作動させ、設定した回転基準に基づき、予め取得した原稿サイズや転写紙サイズ、および画像の向き等の情報により、後処理を行わない転写紙の画像の向きを１頁単位で画像データを回転するための回転角度を算出し、回転後の画像データに基づき転写紙に画像を形成して出力できるよう画像処理してＳＴ８に進む。
【０１５０】
なお、本実施の形態においては、図４の（Ｂ）図に示す画像の回転の算出基準が適用されるようになっている。
【０１５１】
（ＳＴ８）
回転後の画像が転写紙内に収まるか否かを判断するステップである。情報制御回路１２０は、予め取得した原稿サイズや転写紙サイズ、および画像の向き等の情報により、回転させた画像データを判断して、回転させた画像が転写紙内に収まると判断した場合は、回転後の画像データに基づき転写紙に画像を形成して出力できるよう画像処理して画像の回転制御を終了する。
【０１５２】
また、回転させた画像が転写紙内に収まらない、つまり、回転させた画像が転写紙からはみ出すと判断した場合は、ＳＴ１１に進む。
【０１５３】
例えば、Ａ４のランドスケープ（横向き）のステープル指定なしの原稿に対して、画像データの回転角度が１８０度と算出され、転写紙サイズがＡ４Ｒ（横向き）であれば、転写紙内に回転後の画像が収まるので、ＳＴ８でＹＥＳと判断される。しかしながら、転写紙サイズがＡ４（縦向き）の場合、回転後の画像をそのままＡ４（縦向き）の転写紙に形成すると、回転後の画像が転写紙に収まらないので、ＳＴ８において、ＮＯと判断される。
【０１５４】
なお、本実施の形態においては、ＳＴ８でＮＯと判断された場合、回転角度を算出し直しているが、ＳＴ７で求めた回転角度で画像が収まるように転写紙を選択し直しても良い。先の例においては、Ａ４Ｒ（横向き）の転写紙を選択し直すと良い。
【０１５５】
（ＳＴ９）
回転角度を算出するステップである。後処理指定がない場合でも、原稿のサイズや読み取り方向と出力される転写紙のサイズや形成される画像の向き等が異なる場合、例えば、原稿がＡ４縦とＡ４横のサイズが混在し、出力される転写紙が全てＡ４縦のサイズのような場合に、出力される転写紙に形成される画像の向きを一致させるために、回転角度を算出して画像の回転を行うようにしている。
【０１５６】
情報制御回路１２０は、予め取得した原稿サイズや転写紙サイズ、および画像の向き等の情報により、入力側の原稿の読み取り方向と出力側の転写紙の出力方向の、前述のように、例えば、縦横等が異なると判断した場合は、原稿の画像情報がはみ出さないように、設定された転写紙の出力方向の縦横に対応して、画像の向きが一致するようにするために回転角度を算出する。そして、算出された回転角度に基づき画像データを回転させ、回転後の画像データに基づき転写紙に画像を形成して出力できるよう画像処理して画像の回転制御を終了する。
【０１５７】
（ＳＴ１０）
回転角度を算出するステップである。後処理が選択設定されていても冊子分割モードが設定されていない場合は、例えば、一括後処理モードとして全ての転写紙に対して後処理が行われるが、この場合も、ＳＴ９と同様に、原稿のサイズや読み取り方向と出力される転写紙のサイズや形成される画像の向き等が異なる場合や後処理の指定位置によって、転写紙上に形成する画像の向きを回転させるために、回転角度を算出する。そして、算出された回転角度に基づき画像データを回転させ、回転後の画像データに基づき転写紙に画像を形成して出力できるよう画像処理して画像の回転制御を終了する。
【０１５８】
（ＳＴ１１）
回転角度を算出するステップである。原稿のサイズや読み取り方向と出力される転写紙のサイズや形成される画像の向き等が異なる場合に、情報制御回路１２０が回転させた画像が転写紙からはみ出すと判断した場合は、画像が転写紙からはみ出さない条件を優先して、予め取得した原稿サイズや転写紙サイズ、および画像の向き等の情報により、再度、画像データを回転させるための回転角度が算出され、算出された回転角度に基づき、転写紙に画像を形成して出力できるよう画像処理して画像の回転制御を終了する。
【０１５９】
以上のように、本実施の形態により本発明を説明したが、本発明はこれに限定されるものではない。本実施の形態によれば、後処理を行う転写紙と後処理を行わない転写紙が同一ＪＯＢ内で混在して出力された場合に、後処理装置から取り出す時、又は取り出した後に、転写紙に形成された画像の向きを一致させるためにユーザーが揃えたりする作業を行う手間を省き、簡単な操作で容易に、転写紙の画像の向きを整合できる後処理装置を備えた画像形成装置における画像形成システム及びその画像形成方法と画像形成プログラムを提供するようにしたものである。
【０１６０】
そして、本実施の形態は、後処理を行う転写紙に形成する画像の向きと後処理を行わない転写紙に形成する画像の向きとが同一方向になるように、画像処理手段により、回転基準を決めて、転写紙に画像を形成する画像情報を回転させる画像処理を行うようにしたので、一連の画像情報に基づき画像が形成され、後処理手段のトレイに排出された冊子や転写紙を取り出す時に、ユーザーが画像の向きを合わせることがなく、容易に取り出せるので、作業時間が短縮でき、作業効率が大幅に向上した画像形成システム及びその画像形成方法と画像形成プログラムを提供することができるようになった。
【０１６１】
また、画像を回転させても、画像が転写紙からはみ出すことがないようにしたので、回転された画像が形成された冊子や転写紙に対して、画像のはみ出しをチェックする必要が無く、信頼性が高く高品位な画像が形成できる画像形成システム及びその画像形成方法と画像形成プログラムを提供することができるようになった。
【０１６２】
なお、本実施の形態において、画像形成装置は複写機としたが、プリンタやファクシミリあるいはこれらの複合機であっても良いことは言うまでもない。
【図面の簡単な説明】
【０１６３】
【図１】後処理装置を備えた画像形成システムの概略図。
【図２】画像形成の回路構成を示すブロック図。
【図３】出力媒体の出力状態の例を示す模式図。
【図４】画像の回転角度の算出基準の例を示す模式図。
【図５】後処理を選択設定する表示画面の例を示す模式図。
【図６】冊子分割モードの詳細条件を選択設定する表示画面の例を示す模式図。
【図７】出力媒体に形成する画像の回転制御の例を説明するためのフローチャート。
【符号の説明】
【０１６４】
１  筐体
２  手差し皿
４  キャスター
５  感光体ドラム
６  帯電手段
７  現像手段
８  転写分離手段
９  クリーニング手段
１０  定着手段
１１  画像形成手段
１２  給紙カセット
１３  画像読取手段
１４  給排紙手段
１５  分離爪手段
１６  反転部材
１７  反転ローラ
２０  画像形成装置
３０  自動原稿送り装置
４０  後処理装置
４１  後処理装置の筐体
４２  ローラ
４３  挿入口
【図１】
0004462136.tif 000002
【図２】
0004462136.tif 000003
【図３】
0004462136.tif 000004
【図４】
0004462136.tif 000005
【図５】
0004462136.tif 000006
【図６】
0004462136.tif 000007
【図７】
0004462136.tif 000008